(57)【要約】【課題】本発明は、光ファイバ心線が収納されている収納部の水の浸入を防止することで光伝送特性の安定化を図る光ドロップケーブルを提供することにある。【解決手段】８本の光ファイバ素線３−１〜３−８を準備しておき、これら光ファイバ素線３−１〜３−８を並列に並べてなる面に吸水性テープ１３を上下から挟み込むようにして縦添えし、ケーブルシース９に設けられた収納部５内に収容配置する。ケーブルシース９には、収納部５断面の長手方向に対して直交する面に分割位置を示す略Ｖ字形状のノッチ部１１を設け、更にケーブルシース９の収納部１５の断面両端近傍にケーブルの伸長方向の張力を吸収する抗張力体７が設けることで、光ファイバ心線が収納されている収納部に水が浸入しても吸水性テープが水と反応して止水ダムを形成するので、収納部内への水走りを防止することができる。その結果、伝送特性の低減を抑制することができる。【選択図】      図１
2004151434.tif 000002
【特許請求の範囲】
【請求項１】
複数の素線又はテープ心線を一列に並列配置してなる光ファイバと、
前記光ファイバに縦添えする吸水性テープと、
前記光ファイバと前記吸水性テープと一体に収納する収納部の中央部を２分割するための分割位置を示す略Ｖ字形状のノッチ部を設けた長尺形状のケーブルシースと、
前記ケーブルシースの収納部の近傍に設けられ伸長方向の張力を吸収する抗張力体とを備えたことを特徴とする光ドロップケーブル。
【請求項２】
複数の素線又はテープ心線を一列に並列配置してなる光ファイバと、
前記光ファイバに縦添えする吸水性テープと、
前記光ファイバと前記吸水性テープを交互に積層させて一体に収納する収納部の中央部を２分割するための分割位置を示す略Ｖ字形状のノッチ部を設けた長尺形状のケーブルシースと、
前記ケーブルシースの収納部の近傍に設けられ伸長方向の張力を吸収する抗張力体とを備えたことを特徴とする光ドロップケーブル。
【請求項３】
前記ケーブルシースの短面に接続して前記光ファイバを支持する支持線を備えたことを特徴とする請求項１又は２記載の光ドロップケーブル。
【発明の詳細な説明】
【０００１】
【発明の属する技術分野】
本発明は、光ファイバネットワークの支線系に接続されているクロージャから例えば集合住宅の構内に引き落とすためのドロップケーブルに関し、特に、光ドロップケーブルの切断面若しくは側面亀裂からの水の浸入を防止することができる光ドロップケーブルに関する。
【０００２】
【従来の技術】
近年、高度情報通信社会の推進に向けて、ＦＴＴＨ（Ｆｉｂｅｒ  ｔｏ  ｔｈｅ  Ｈｏｍｅ）が提唱されている。このＦＴＴＨは、個々の家庭まで光ファイバを引き込んで、電話、コンピュータ通信、ＣＡＴＶ（ケーブル・テレビや光ネットワークの配線方法）などの通信サービスを統合して提供するネットワークであり、電話局の末端にリモート端末を設置しておき、そのリモート端末から幹線系の光ケーブルを敷設し、幹線上に設けられたクロージャから各家庭や集合住宅に光ドロップケーブルを敷設するものである。
【０００３】
従来の光ドロップケーブルは、１心または２心ケーブルであり、支線系に接続されているクロージャから例えば集合住宅に設けられた光成端箱にこの光ドロップケーブルを引き込み、さらに、光成端箱を経由して光ドロップケーブルを例えば集合住宅の各家庭に設けられたローゼットまで配線するものである。
【０００４】
このような従来の光ドロップケーブルは、例えば特開２０００−１７１６７３号公報に開示されたものがある。この光ドロップケーブル１０１は、図６に示すように、１心の素線又は２心のテープ心線からなる光ファイバ１１１が長尺形状のケーブルシース１０７に設けられた収納部１０３に収納されており、ケーブルシース１０７の収納部１０３の近傍に伸長方向の張力を吸収する抗張力体１０５が設けられている。
【０００５】
【特許文献１】
特開２０００−１７１６７３号公報
【０００６】
【発明が解決しようとする課題】
ところで、図６で示した従来の光ドロップケーブルを使用して、架空用クロージャから一戸建住宅等まで光ファイバを引き落とす場合、光ファイバ心線が収納されている収納部は、パイプ構造を有していることから収納部内に空隙が生じており、雨が降ると架空用クロージャの隙間又は光成端箱の隙間から浸入した雨水がこの空隙内を水走りするという問題がある。
【０００７】
これにより水がケーブルの空隙内を伝ってシステムに達すると光伝送システム等に障害を及ぼす可能性がある。更にケーブルの接続部分などで浸水部位が拡大すると、これに伴い光伝送システムの障害規模が更に拡大してしまうという問題がある。
【０００８】
また、一般に良く知られているように、光ファイバに欠陥が生じていた場合、この欠陥部と水とが接触することでファイバの寿命を低下させる問題がある。また、水素の発生によりコア内を伝送する光の伝送特性を低下させてしまう。
【０００９】
このような水の浸入によるファイバ寿命の低下及び水素発生による損失増加は、架空用クロージャに限らず、布設された光ドロップケーブルの側面に亀裂が生じた場合であっても同じである。
【００１０】
本発明は、上記問題を鑑みてなされたものであり、その目的としては、光ファイバ心線が収納されている収納部の水の浸入を防止することで光伝送特性の安定化を図る光ドロップケーブルを提供することにある。
【００１１】
【課題を解決するための手段】
上記問題を解決するために、請求項１記載の本発明は、複数の素線又はテープ心線を一列に並列配置してなる光ファイバと、前記光ファイバに縦添えする吸水性テープと、前記光ファイバと前記吸水性テープと一体に収納する収納部の中央部を２分割するための分割位置を示す略Ｖ字形状のノッチ部を設けた長尺形状のケーブルシースと、前記ケーブルシースの収納部の近傍に設けられ伸長方向の張力を吸収する抗張力体とを備えたことを要旨とする。
【００１２】
また、請求項２記載の本発明は、複数の素線又はテープ心線を一列に並列配置してなる光ファイバと、前記光ファイバに縦添えする吸水性テープと、前記光ファイバと前記吸水性テープを交互に積層させて一体に収納する収納部の中央部を２分割するための分割位置を示す略Ｖ字形状のノッチ部を設けた長尺形状のケーブルシースと、前記ケーブルシースの収納部の近傍に設けられ伸長方向の張力を吸収する抗張力体とを備えたことを要旨とする。
【００１３】
更に、請求項３記載の本発明は、請求項１又は２記載の発明において、前記ケーブルシースの短面に接続して前記光ファイバを支持する支持線を備えることを要旨とする。
【００１４】
【発明の実施の形態】
以下、本発明の実施の形態を図面を参照して説明する。
【００１５】
（第１の実施の形態）
図１は、本発明の第１の実施の形態に係る光ドロップケーブル１の構成を示す断面図である。
【００１６】
図１に示す光ドロップケーブル１は、光ファイバ３−１〜３−８、収納部５、抗張力体７、ケーブルシース９、ノッチ部１１、吸水性テープ１３から構成されている。
【００１７】
光ファイバ３−１〜３−８は、ファイバ径が０．２５ｍｍのシングルモード光ファイバ素線であり、ケーブルシース９に設けられた収納部５にこの光ファイバが一列に互いに隣接して直線状に配置されている。
【００１８】
ケーブルシース９は、断面寸法が横４．０ｍｍ，縦２．０ｍｍの長尺形状を有し、低密度の難燃ポリエチレンからなり、収納部５に光ファイバ３−１〜３−８を収納して被覆している。またケーブルシース９は、光ファイバの配列方向に対して直交するように収納部５の中央部を２分割するための分割位置を示す略Ｖ字形状のノッチ部１１を２箇所有している。
【００１９】
さらにケーブルシース９は、収納部５の縦断面両端近傍に伸長方向の張力を吸収する外径０．４ｍｍの亜鉛めっきなどの防食処理が施された鋼線からなる２本の抗張力体７をそれぞれ被覆している。なお抗張力体７は、０．４ｍｍの鋼線の代わりに、ガラスＦＲＰやケブラーなどのアラミド繊維を用いることも可能である。
【００２０】
ケーブルシース９の断面中央に位置する収納部５には、一列に並列配置させた８本の光ファイバ３−１〜３−８に吸水性テープ１３を上面と下面に縦添えしたものが配置されている。この吸水性テープ１３は、脱脂綿、紙（パルプ）、布、不織布、熱可塑性樹脂などをテープ状に加工したものに、吸水剤としてデンプン、セルロース、ポリビニルアルコール、ポリアクリル酸塩の吸水性高分子を塗布して接着させたり、吸水剤をテープで包んだり、練り込んだりして吸水性を高めたものである。ここで熱可塑性樹脂とは、ポリエチレンテレフタレート（ＰＥＴ）、ポリプロピレン（ＰＰ）、ポリエチレン（ＰＥ）等である。
【００２１】
次に、図１を参照して、光ドロップケーブル１の作用効果について説明する。
【００２２】
まず、図１に示すように、複数の素線又はテープ心線からなる光ファイバ３−１〜３−８を準備しておく。
【００２３】
次いで、これら光ファイバ３−１〜３−８を並列に並べてなる面に吸水性テープ１３を上下から挟み込むようにして縦添えし、ケーブルシース９に設けられた収納部５内に収容配置する。
【００２４】
このケーブルシース９には、収納部５断面の長手方向に対して直交する面に分割位置を示す略Ｖ字形状のノッチ部１１が形成されると共に、ケーブルシース９の収納部１５の断面両端近傍にケーブルの伸長方向の張力を吸収する抗張力体７が設けられる。
【００２５】
このように本実施の形態では、収納部５に吸水性テープ１３が縦添えされた光ファイバ３−１〜３−８を一列に収容配置して被覆し、また光ファイバの配列方向に対して直交するように、収納部５の中央部を２分割するための分割位置を示す略Ｖ字形状のノッチ部１１が形成されているので、ノッチ部１１を切っ掛けにして裂くことで、簡単にケーブルシース９を引き裂いて２分割でき、収納部５中の光ファイバ３−１〜３−８を容易に取り出すことができる。
【００２６】
また、並列に配置された８本の光ファイバ３−１〜３−８を挟み込むようにして吸水性テープ１３を一体収納しているので、ケーブルの断面に対する光ファイバの移動を１次元化することができる。更に、ケーブルの断面から水が浸入した場合に、吸着剤と水が反応して止水ダムを形成するので水の流れを防止することができる。その結果、ケーブル内での水素の発生を防止できるので、光ファイバの損失増大を抑制することができる。
【００２７】
また、本実施の形態では、光ドロップケーブル１を２分割しても、光ファイバ３−１〜３−８の両端近傍に抗張力体７が縦添えされているので、ケーブルの伸長方向の張力を吸収することができる。
【００２８】
さらに、本実施の形態では、ケーブルシース９の収納部５に複数の光ファイバ３−１〜３−８を収納したことにより、１本のケーブルで複数のユーザに配線することができる。その複数の光ファイバ３−１〜３−８は、収納部５に一列に収容配置されているので、ケーブルの厚さが薄くなり、狭い場所へ配線がし易くなる。
【００２９】
（止水特性）
このような構成の光ドロップケーブル１の止水特性を以下の方法で評価した。
【００３０】
図２は、ＩＥＣ６０７９４−１−２に基づく止水試験装置を示す図である。
【００３１】
止水試験方法には、次の２つの方法（Ｆ５Ａ、Ｆ５Ｂ）があり、図２（ａ）に示す方法（Ｆ５Ａ）は、コアとシースの間の介在物の止水性を試験するものである。一方、図２（ｂ）に示す方法Ｆ５Ｂは、防水性をもたせた断面構造全体の透水性を試験するものである。
【００３２】
具体的にＦ５Ａは、光ドロップケーブル長の一端から３ｍのところでシースと上巻きを円周にわたって２５ｍｍの幅で取り除き、そのシースの切れ目のむき出しのコアの部分を覆うように水密製の管４１を被せて、１ｍの高さの水圧を負荷できるようにする。ここで光ドロップケーブルの一端にはキャップ４３を嵌めておく。
【００３３】
Ｆ５Ｂは、試験長より１ｍ長い光ドロップケーブル１（ただし、３ｍを超えないもの。）を用意する。Ｌ型塩化ビニル樹脂管４７の一端に、端部にゴム栓を外挿させた内径１８ｍｍの透明アクリル管４５を挿入する一方、他端に光ドロップケーブル１の端部をセルボンテープを巻きつけて挿入し、いずれも隙間を生じないように接着剤等で密封固定した。このとき光ドロップケーブル１の片端を水密性をもたせて水封止し、１ｍの高さの水圧を負荷できるようにする。次いで、光ドロップケーブル１が水平に、透明アクリル管４５が垂直になるように保持し、透明アクリル管４５内に水を加えて光ドロップケーブル１端面に０．１気圧の水圧を印加し、２４時間経過後の走水長を測定した。
【００３４】
この防水試験を実施した結果、光ドロップケーブルの端面から漏水が無いことを確認した。また、光伝送特性は、従来型の光ドロップケーブルと同等であることを確認した。
【００３５】
この結果、光ファイバドロップケーブル１のケーブルシース７に亀裂が生じ、そこから水が浸入しても吸水剤が水を吸着して止水ダムを形成するので、収納部５内での急速な水走りを抑え、且つケーブルの取り替え工事まで時間を稼ぐことができる。これにより光ファイバの取替え時期まで正常に伝送することができる光ドロップケーブル１であることが確認された。
【００３６】
（第２の実施の形態）
図３は、本発明の第２の実施の形態に係る光ドロップケーブル２１の構成を示す断面図である。
【００３７】
図３に示す光ドロップケーブル２１は、図１に示す光ドロップケーブル１に対して、ケーブルシース９を形成する際にネック１７を介してテンションメンバとして支持線１５を付け加えている。この支持線１５には、１．２ｍｍの鋼線を使用している。
【００３８】
すなわち、本実施の形態の光ドロップケーブル２１は、ケーブルシース９の一側面、つまり２本の抗張力体７の延長線上の面に、ネック１７を介して光ファイバ３−１〜３−８を支持する支持線１５が一体成形により形成されている。
【００３９】
次に、図３を参照して、光ドロップケーブル２１の作用効果について説明する。
【００４０】
まず、図３に示すように、複数の素線又はテープ心線からなる光ファイバ３−１〜３−８を準備しておく。
【００４１】
次いで、これら一列の光ファイバ３−１〜３−８に対して吸水性テープ１３を縦添えしてケーブルシース９に設けられた収納部５内に収容配置する。
【００４２】
このケーブルシース９には、収納部５の形成方向に対して直交する面に、分割位置を示す略Ｖ字形状のノッチ部１１が２箇所形成され、ケーブルシース９の収納部５の断面両端近傍にケーブルの伸長方向の張力を吸収する抗張力体７が設けられる。また、ケーブルシース９を形成する際にネック１７を介して支持線１５を付け加える。
【００４３】
このように本実施の形態では、収納部５に光ファイバ３−１〜３−８を一列に収容配置してケーブルシース９で被覆し、また光ファイバの配列方向に対して直交するように、収納部５の中央部を２分割するための分割位置を示す略Ｖ字形状のノッチ部１１を形成し、さらに支持線１５を被覆しているので、支線系に設けられたクロージャ（図示しない）から集合住宅に設けられた光成端箱（図示しない）まで光ドロップケーブル２１を引き込むことができる。
【００４４】
また、集合住宅内では、ノッチ部１１を中心に上下方向に逆の力を加えてケーブルシース９を引き裂いて２分割することができ、光ファイバ３−１〜３−８を容易に取り出すことができる。
【００４５】
また、本実施の形態では、光ドロップケーブル３を２分割しても、光ファイバ３−１〜３−８が抗張力体７を有しているので、ケーブルの伸長方向の張力を吸収することができる。更にケーブルシース９の側面に光ファイバ３−１〜３−８を支持する支持線１５を備えたので、ケーブル自体の引張強度を高めることができ、敷設する際の取扱い性及び信頼性を向上させることができる。そして、光ファイバ３−１〜３−８と吸水性テープ１３とを一体にして収納部５に収納するので、ケーブルの断面から水が浸入しても吸水剤と水が反応して止水ダムを形成し、水の流れを防止することができる。
【００４６】
さらに、本実施の形態では、ケーブルシース９の収納部５に複数の光ファイバ３−１〜３−８を収納したことにより、１本のケーブルで複数のユーザに配線することができる。その複数の光ファイバ３−１〜３−８は、収納部５に一列に収容配置されているので、ケーブルの厚さが薄くなり、狭い場所へ配線がし易くなる。
【００４７】
（第３の実施の形態）
図４は、本発明の第３の実施の形態に係る光ドロップケーブル３１の構成を示す断面図である。
【００４８】
図４に示す光ドロップケーブル３１は、図３に示した光ドロップケーブル２１において、光ファイバ素線を８本並列に配置していたことに代えて、光ファイバ素線を４本並列に配置したものを１組とし、これを縦に３組平行に積層させている。このとき各組の上面と下面には吸水性テープ１３が挟み込まれている。
【００４９】
すなわち、本実施の形態の光ドロップケーブル３１は、４本の光ファイバ素線３ａ−１〜３ａ−４を並列接続してなる第１の素線列と、光ファイバ素線３ｂ−１〜３ｂ−４を並列接続してなる第２の素線列と、光ファイバ素線３ｃ−１〜３ｃ−４を並列接続してなる第３の素線列を吸水性テープ１３を挟み込みながら平行に積層させて収納部５に収納し、光ファイバ素線の積層方向に直交し且つ収納部５を挟むようにして配置されている２本の抗張力体７をケーブルシース９で一括成形する際に、ケーブルシース９上の光ファイバ素線の積層方向に分割位置を示す略Ｖ字形状のノッチ部１１を設ける。また、ケーブルシース９の一側面、つまり２本の抗張力体７の延長線上の面に、ネック１７を介して光ファイバ素線を支持する支持線１５を一体化して設けることで形成されている。
【００５０】
次に、図４を参照して、光ドロップケーブル３１の作用効果について説明する。
【００５１】
まず、図４に示すように、４本の光ファイバ素線３ａ−１〜３ａ−４からなる第１の素線列と、光ファイバ素線３ｂ−１〜３ｂ−４からなる第２の素線列と、光ファイバ素線３ｃ−１〜３ｃ−４からなる第３の素線列を準備しておく。
【００５２】
次いで、これら素線列を平行に積層する際に、各素線列の間に吸水性テープ１３を挿入してケーブルシース９に設けられた収納部５内に収容配置する。
【００５３】
このケーブルシース９には、素線列の積層方向に分割位置を示す略Ｖ字形状のノッチ部１１が２箇所形成されており、ケーブルシース９の収納部５の断面両端近傍にケーブルの伸長方向の張力を吸収する抗張力体７が設けられている。またケーブルシース９を形成する際にネック１７を介して支持線１５が付け加えられている。
【００５４】
このように本実施の形態では、収納部５に光ファイバ素線を並列してなる素線列を複数枚平行に積層させて収容し、これをケーブルシース９で被覆して、更に光ファイバの配列方向に対して直交するように、収納部５の中央部を２分割するための分割位置を示す略Ｖ字形状のノッチ部１１を形成し、またさらに支持線１５を被覆しているので、支線系に設けられたクロージャ（図示しない）から集合住宅に設けられた光成端箱（図示しない）まで光ドロップケーブル３１を引き込むことができる。
【００５５】
また、集合住宅内では、ノッチ部１１を中心に上下方向に逆の力を加えてケーブルシース９を引き裂いて２分割することができ、光ファイバ素線３ａ−１〜３ａ−４、３ｂ−１〜３ｂ−４、３ｃ−１〜３ｃ−４を容易に取り出すことができる。
【００５６】
また、本実施の形態では、光ドロップケーブル３１を２分割しても、光ファイバ３ａ−１〜３ａ−４、３ｂ−１〜３ｂ−４、３ｃ−１〜３ｃ−４が抗張力体７を有しているので、ケーブルの伸長方向の張力を吸収することができる。更にケーブルシース９の側面に光ファイバ３ａ−１〜３ａ−４、３ｂ−１〜３ｂ−４、３ｃ−１〜３ｃ−４を支持する支持線１５を設けたので、ケーブル自体の引張強度を高めることができ、敷設する際の取扱い性及び信頼性を向上させることができる。
【００５７】
そして、光ファイバ素線３ａ−１〜３ａ−４、３ｂ−１〜３ｂ−４、３ｃ−１〜３ｃ−４と吸水性テープ１３とを一体にして収納部５に収納するので、ケーブルの断面から水が浸入しても、吸着剤と水が反応して止水ダムを形成するので水の流れを防止し、これによりケーブル内での水素の発生することを防止することができるので、光ファイバ３ａ−１〜３ａ−４、３ｂ−１〜３ｂ−４、３ｃ−１〜３ｃ−４にの損失増大を抑制することができる。
【００５８】
さらに、本実施の形態では、ケーブルシース９の収納部５に複数本の光ファイバ素線３ａ−１〜３ａ−４、３ｂ−１〜３ｂ−４、３ｃ−１〜３ｃ−４を収納したことにより、１本のケーブルで複数のユーザに配線することができる。その複数の光ファイバ素線３ａ−１〜３ａ−４、３ｂ−１〜３ｂ−４、３ｃ−１〜３ｃ−４は、収納部５に３列に収容配置されているので、ケーブル断面の長手方向の寸法を短くすることができ、更にこれに伴い風圧荷重を小さくできる。尚、本実施の形態においては、光ファイバ素線を４本並列に並べているが、光ファイバ素線の本数はこれに限らず、３本、５本、６本・・であってもよい。また、積層数も３層に限らず、４層、５層・・・であってもよい。
【００５９】
（実施例）
図５は、第１〜３の実施の形態に係る光ドロップケーブルを布設した様子を示す図である。
【００６０】
図５に示すように、電話局（図示せず）から延線された光ファイバケーブル５３の端が電柱５１上の架空用クロージャ５５に接続されている。この架空用クロージャ５５と集合住宅との間に配置される光ドロップケーブル２１，３１は、一端が架空用クロージャ５５に接続され、他端が集合住宅の管理室に設置されている光成端箱５９に接続されている。
【００６１】
架空用クロージャ５５と光成端箱５９とを接続するためには、光ドロップケーブル２１，３１のネック１７を一部切り裂いて光ファイバが収納された本体と支持線１５とを分離し、分離された支持線１５の一端１９Ａを電柱５１の屋外線引き止め具５７に固定し、他端１９Ｂを管理室の屋外引き止め具（図示せず）に固定する。
【００６２】
また、本体の一端１５Ａは、電柱５１上の架空用クロージャ５５に接続し、他端１５Ｂは管理室の光成端箱５９に接続する。
【００６３】
続いて、光成端箱５９を介して管理室まで布設された光ドロップケーブル１は、管理室に設置されているルータ及び光用ハブに接続される。そして、光用ハブで多数本に分岐された光伝送路の出力端に第１の実施の形態に係る光ドロップケーブル１を接続し、他端を集合住宅内の管路に沿わせて各戸まで布設する。このようにして各戸まで布設された光ドロップケーブル１は戸内に設置されている配電盤（ＦＤ）６１に接続される。この時、ノッチ部１１を切っ掛けにケーブルシース９を２分に引き裂くだけで、収納されている光ファイバ３−１〜３−８を容易に取り出すことができる。
【００６４】
【発明の効果】
請求項１記載の本発明によれば、複数の素線又はテープ心線を一列に並列配置してなる光ファイバと、光ファイバに縦添えする吸水性テープと、光ファイバと吸水性テープを一体にして収納する収納部の中央部を２分割するための分割位置を示す略Ｖ字形状のノッチ部を設けた長尺形状のケーブルシースと、このケーブルシースの収納部の近傍に設けられ伸長方向の張力を吸収する抗張力体とを備えたので、水が浸入しても吸水性テープが水と反応して止水ダムを形成することができ、収納部内の水走りを防止することができる。その結果、伝送特性の低減を抑制することができる。
【００６５】
また、請求項２記載の本発明は、複数の素線又はテープ心線を一列に並列配置してなる光ファイバと、光ファイバに縦添えする吸水性テープと、光ファイバと吸水性テープを交互に積層させて一体に収納する収納部の中央部を２分割するための分割位置を示す略Ｖ字形状のノッチ部を設けた長尺形状のケーブルシースと、ケーブルシースの収納部の近傍に設けられ伸長方向の張力を吸収する抗張力体とを備えたので、水が浸入しても吸水性テープが水と反応して止水ダムを形成することができ、収納部内の水走りを防止することができる。その結果、伝送特性の低減を抑制することができる。
【００６６】
また、並列配列された光ファイバと吸水性テープを交互に積層させて一体化することで、所定断面積内に複数の光ファイバを収納させることができるので、１本の光ドロップケーブルで複数の戸数に対して布設を行うことができる。
【００６７】
請求項３記載の本発明によれば、ケーブルシースの短面に接続して光ファイバを支持する支持線を備えたので、ケーブル自体の引張強度を高めることができ、敷設する際の取扱い性及び信頼性を向上させることができる。
【図面の簡単な説明】
【図１】本発明の第１の実施の形態に係る光ドロップケーブルの構成を示す断面図である。
【図２】止水試験を行う止水試験装置図であり、（ａ）コアとシースの間の介在物の止水性を試験する方法、（ｂ）断面構造全体の透水性を試験する方法を示す図である。
【図３】本発明の第２の実施の形態に係る光ドロップケーブルの構成を示す断面図である。
【図４】本発明の第３の実施の形態に係る光ドロップケーブルの構成を示す断面図である。
【図５】第１〜第３の実施の形態に示す光ドロップケーブルを敷設した様子を示す概略図である。
【図６】従来の光ドロップケーブルの構成を示す断面図である。
【符号の説明】
１  、２１、３１  光ドロップケーブル
３−１〜３−８、３ａ−１〜３ａ−４、３ｂ−１〜３ｂ−４、
３ｃ−１〜３ｃ−４、３ｄ−１〜３ｄ−４  光ファイバ
５  収納部
７  抗張力体
９  ケーブルシース
１１  ノッチ部
１３  吸水性テープ
１５  支持線
１７  ネック
【図１】
2004151434.tif 000003
【図２】
2004151434.tif 000004
【図３】
2004151434.tif 000005
【図４】
2004151434.tif 000006
【図５】
2004151434.tif 000007
【図６】
2004151434.tif 000008